(57)【要約】【課題】火薬の燃焼によりＬＥＤが点滅するようにした玩具花火であって、従来のものにない使用上の面白さを発揮する新規な玩具花火を提供する。【解決手段】火薬１と、ＬＥＤ３と、センサ５とを備え、該センサは該火薬の燃焼による衝撃、光又は熱を検知して該ＬＥＤを点滅させるようにしたことを特徴とする玩具花火。前記ＬＥＤと前記センサとを前記火薬を有する把持部に取り付ける。前記ＬＥＤと前記センサとを打上げ筒内に配設し、前記火薬は該ＬＥＤと該センサとを打ち上げるための発射薬である。前記ＬＥＤと前記センサとをパラシュート玩具に取り付けた状態で前記打上げ筒内に配設する。前記火薬、ＬＥＤ及びセンサと共に、更に音声発生手段を備え、該センサは該火薬の燃焼による衝撃、光又は熱を検知して該音声発生手段に音声を発生させる。【選択図】図１
2013238324.tif 000002
【特許請求の範囲】
【請求項１】
火薬と、ＬＥＤと、センサとを備え、該センサは該火薬の燃焼による衝撃、光又は熱を検知して該ＬＥＤを点滅させるようにしたことを特徴とする玩具花火。
【請求項２】
前記ＬＥＤと前記センサとを前記火薬を有する把持部に取り付けたことを特徴とする請求項１に記載の玩具花火。
【請求項３】
前記ＬＥＤと前記センサとを打上げ筒内に配設し、前記火薬は該ＬＥＤと該センサとを打ち上げるための発射薬であることを特徴とする請求項１に記載の玩具花火。
【請求項４】
前記ＬＥＤと前記センサとをパラシュート玩具に取り付けた状態で前記打上げ筒内に配設したことを特徴とする請求項３に記載の玩具花火。
【請求項５】
前記火薬、ＬＥＤ及びセンサと共に、更に音声発生手段を備え、該センサは該火薬の燃焼による衝撃、光又は熱を検知して該音声発生手段に音声を発生させるようにしたことを特徴とする請求項１〜４のいずれかに記載の玩具花火。
【請求項６】
前記センサには光ファイバーを延設し、該光ファイバーの先端を前記火薬の近傍に臨ませたことを特徴とする請求項１〜５のいずれかに記載の玩具花火。
【請求項７】
火薬と、音声発生手段と、センサとを備え、該センサは該火薬の燃焼による衝撃、光又は熱を検知して該音声発生手段に音声を発生させるようにしたことを特徴とする玩具花火。
【請求項８】
前記センサには光ファイバーを延設し、該光ファイバーの先端を前記火薬の近傍に臨ませたことを特徴とする請求項７に記載の玩具花火。
【発明の詳細な説明】
【技術分野】
【０００１】
本発明は、玩具花火（がん具煙火）に関するものである。該玩具花火には、手持ち花火、噴出し花火、打上げ花火等が含まれる。
【背景技術】
【０００２】
玩具花火としては、例えば本出願人が提案した特許第３５１４５４３号公報に示すように、軸部に火薬を塗着してなるもの等、種々のものが従来より知られている。
【先行技術文献】
【特許文献】
【０００３】
【特許文献１】特許第３５１４５４３号公報
【発明の概要】
【発明が解決しようとする課題】
【０００４】
上記従来の玩具花火は面白いものではあるが、本発明は、火薬の燃焼によりＬＥＤ（発光ダイオード）が点滅するようにした玩具花火であって、従来のものにない使用上の面白さを発揮する新規な玩具花火を提供しようとしてなされたものである。
【課題を解決するための手段】
【０００５】
上記課題を解決するために、本発明は、下記の玩具花火を提供する。
【０００６】
（１）火薬と、ＬＥＤと、センサとを備え、該センサは該火薬の燃焼による衝撃、光又は熱を検知して該ＬＥＤを点滅させるようにしたことを特徴とする玩具花火（請求項１）。
【０００７】
（２）前記ＬＥＤと前記センサとを前記火薬を有する把持部に取り付ける（請求項２）。
【０００８】
（３）前記ＬＥＤと前記センサとを打上げ筒内に配設し、前記火薬は該ＬＥＤと該センサとを打ち上げるための発射薬である（請求項３）。
【０００９】
（４）前記ＬＥＤと前記センサとをパラシュート玩具に取り付けた状態で前記打上げ筒内に配設する（請求項４）。
【００１０】
（５）前記火薬、ＬＥＤ及びセンサと共に、更に音声発生手段を備え、該センサは該火薬の燃焼による衝撃、光又は熱を検知して該音声発生手段に音声を発生させる（請求項５）。
【００１１】
（６）前記センサには光ファイバーを延設し、該光ファイバーの先端を前記火薬の近傍に臨ませる（請求項６）。
【００１２】
（７）火薬と、音声発生手段と、センサとを備え、該センサは該火薬の燃焼による衝撃、光又は熱を検知して該音声発生手段に音声を発生させるようにしたことを特徴とする玩具花火（請求項７）。
【００１３】
（８）前記センサには光ファイバーを延設し、該光ファイバーの先端を前記火薬の近傍に臨ませる（請求項８）。
【発明の効果】
【００１４】
［請求項１の発明］
請求項１による玩具花火は、火薬と、ＬＥＤと、センサとを備え、該センサは該火薬の燃焼による衝撃、光又は熱を検知して該ＬＥＤを点滅させるようにしたため、玩具花火の看者は、火薬の燃焼と共に、ＬＥＤの点滅を楽しむことができる。
【００１５】
［請求項２の発明］
ＬＥＤとセンサとを火薬を有する把持部に取り付けているため、玩具花火の使用者は、把持部を手に持った状態で、火薬の燃焼と共に、ＬＥＤの点滅を楽しむことができる。
【００１６】
［請求項３の発明］
ＬＥＤとセンサとを打上げ筒内に配設し、前記火薬は該ＬＥＤと該センサとを打ち上げるための発射薬であるため、該ＬＥＤは該センサと共に該発射薬により空中に打ち上げられ、点滅しながら落下する。ＬＥＤが点滅しながら落下する様子は、極めて面白い。
【００１７】
［請求項４の発明］
ＬＥＤとセンサとをパラシュート玩具に取り付けた状態で打上げ筒内に配設しているため、該ＬＥＤは、パラシュート玩具と共に該発射薬により空中に打ち上げられ、パラシュート玩具に吊下げられた状態で点滅しながら落下する。パラシュート玩具に吊下げられたＬＥＤが点滅しながら落下する様子は、極めて面白い。
【００１８】
［請求項５の発明］
請求項５による玩具花火は、更に音声発生手段を備え、前記センサは前記火薬の燃焼による衝撃、光又は熱を検知して該音声発生手段に音声を発生させるようにしているため、ＬＥＤの点滅と共に音声を楽しむことができる。
【００１９】
［請求項６の発明］
センサには光ファイバーを延設し、該光ファイバーの先端を火薬の近傍に臨ませたため、該センサは該光ファイバーを介して該火薬の燃焼による光のみを確実に検知して該ＬＥＤを点滅させる。すなわち、該ＬＥＤが該火薬の燃焼による光以外の光を検知して該ＬＥＤを点滅させるという誤作動が防止される。
【００２０】
［請求項７の発明］
火薬と、音声発生手段と、センサとを備え、該センサは該火薬の燃焼による衝撃、光又は熱を検知して該音声発生手段に音声を発生させるようにしたため、玩具花火の看者は、火薬の燃焼と共に、音声発生手段による音声を楽しむことができる。
【００２１】
［請求項８の発明］
センサには光ファイバーを延設し、該光ファイバーの先端を火薬の近傍に臨ませたため、該センサは該光ファイバーを介して該火薬の燃焼による光のみを確実に検知して該音声発生手段に音声を発生させる。すなわち、該音声発生手段が該火薬の燃焼による光以外の光を検知して該音声発生手段に音声を発生させるという誤作動が防止される。
【図面の簡単な説明】
【００２２】
【図１】図１は、本発明による玩具花火の一例を示す正面図である。
【図２】図２は、本発明による玩具花火の別の一例を示す正面図である。
【図３】図３は、本発明による玩具花火の更に別の一例を示す断面図である。
【図４】図４は、本発明による玩具花火の更に別の一例を示す断面図である。
【図５】図５は、ＬＥＤ、センサ等を収納体内に収納した状態の一例を示す斜視図である。
【図６】図６は、ＬＥＤ、センサ等を別の収納体内に収納した状態の一例を示す斜視図である。
【図７】図７は、本発明による玩具花火の更に別の一例を示す断面図である。
【発明を実施するための形態】
【００２３】
本発明による玩具花火は、火薬１と、ＬＥＤ３と、センサ５とを備えている。ＬＥＤ３は、好ましくは、複数個使用する。符号７に示すものは、ＬＥＤ３、センサ５及び後述の音声発生手段３１用の電池である。
【００２４】
センサ５は、火薬１の燃焼による衝撃、光又は熱を検知して該ＬＥＤ３を点滅させる。また、玩具花火に音声発生手段３１を備えさせ、センサ５が火薬１の燃焼による衝撃、光又は熱を検知して、該音声発生手段３１に音楽等の音声を発生させるようにしてもよい。
【００２５】
ＬＥＤ３とセンサ５と電池７とを、好ましくは、収納体９内に収納する。すなわち、一例として、ＬＥＤ３とセンサ５と電池７とを基板１１に取り付けた状態で、収納体９内に収納する。収納体９は、透明な材料又は透光性を有する材料により形成する。図５参照。
【００２６】
図６に示す事例においては、収納体９を透明な材料又は透光性を有する材料により形成した外殻体１３内に収納している。
【００２７】
図１に示す事例においては、ＬＥＤ３とセンサ５とを火薬１を有する把持部１５に取り付けている。すなわち、この事例における玩具花火はスパークラーであり、ＬＥＤ３とセンサ５と電池７とを収納する収納体９を把持部１５としての軸部に取り付けている。
【００２８】
図１に示す事例においては、火薬１に点火すると、該火薬１が燃焼し、センサ５が該火薬１の燃焼による衝撃、光又は熱を検知して該ＬＥＤ３を点滅させる。
【００２９】
図２に示す事例においては、火薬１と、ＬＥＤ３と、センサ５とを筒状体１７内に収納し、該筒状体１７には該ＬＥＤ３に対応させて透孔、透明部、透光部等ののぞき窓１９を備えさせている。この事例においては、ＬＥＤ３とセンサ５と電池７とを収納する収納体９を火薬１を有する把持部１５に取り付け、該収納体９と、火薬１を有する把持部１５とを筒状体１７内に収納している。
【００３０】
図２に示す事例においては、火薬１に点火すると、該火薬１が燃焼し、センサ５が該火薬１の燃焼による衝撃、光又は熱を検知して該ＬＥＤ３を点滅させる。該ＬＥＤ３の点滅は、筒状体１７ののぞき窓１９を通して見える。
【００３１】
図３に示す事例においては、ＬＥＤ３とセンサ５とを打上げ筒２１内に配設し、前記火薬１は該ＬＥＤ３と該センサ５とを打ち上げるための発射薬である。この事例においては、ＬＥＤ３とセンサ５と電池７とを収納する収納体９を前記外殻体１３内に収納し、該外殻体１３を打上げ筒２１内に配設している。外殻体１３は、外殻体保持枠２３内に保持されている。打ち上げ筒２１内における外殻体保持枠２３の下方には火薬１としての発射薬が配設されている。符号２５に示すものは発射薬の導火線であり、符号２７に示すものは打ち上げ筒２１の基台である。
【００３２】
図３に示す事例においては、導火線２５に点火すると、該導火線２５の火が発射薬１を燃焼させ、外殻体１３を外殻体保持枠２３と共に上方に打ち上げる。外殻体１３は、外殻体保持枠２３から分離し、収納体９内のＬＥＤ３を点滅させつつ、地上に落下する。
【００３３】
図４に示す事例は、ＬＥＤ３とセンサ５とをパラシュート玩具２９に取り付けた点を除き、上記図３に示す事例と同じである。すなわち、ＬＥＤ３とセンサ５と電池７とを収納する収納体９を前記外殻体１３内に収納し、該外殻体１３をパラシュート玩具２９に取り付けた状態で打上げ筒２１内に配設する。
【００３４】
図４に示す事例においては、導火線２５に点火すると、該導火線２５の火が発射薬１を燃焼させ、パラシュート玩具２９に取り付けた外殻体１３を外殻体保持枠２３と共に上方に打ち上げる。パラシュート玩具２９に取り付けた外殻体１３は、外殻体保持枠２３から分離し、パラシュート玩具２９に吊下げられた状態で収納体９内のＬＥＤ３を点滅させつつ、地上に落下する。
【００３５】
図６における符号３１に示すものは、音声発生手段である。音声発生手段３１は、予め記憶手段に記憶させた音楽等の音声をスピーカから出力させるようにしたものである。
【００３６】
図７に示す事例においては、センサ５には光ファイバー３３を延設し、該光ファイバー３３の先端３３ａを火薬１の近傍に臨ませている。なお、この事例においては、火薬１を有する把持部１５と、基板１１に取り付けたＬＥＤ３とセンサ５と電池７と、該センサ５に延設した光ファイバー３３とを上端を開口した略円錐形状の保持体３５に保持させている。該保持体３５は、透明な材料又は透光性を有する材料により形成する。
【００３７】
本発明による玩具花火は、火薬１と、音声発生手段３１と、センサ５とを備え、該センサ５は該火薬１の燃焼による衝撃、光又は熱を検知して該音声発生手段３１に音楽等の音声を発生させるようにしたものであってもよい。
【００３８】
また、前記センサ５には光ファイバー３３を延設し、該光ファイバー３３の先端３３ａを前記火薬１の近傍に臨ませるようにしてもよい。
【符号の説明】
【００３９】
１  火薬
３  ＬＥＤ
５  センサ
７  電池
９  収納体
１１  基板
１３  外殻体
１５  把持部
１７  筒状体
１９  のぞき窓
２１  打上げ筒
２３  外殻体保持枠
２５  導火線
２７  基台
２９  パラシュート玩具
３１  音声発生手段
３３  光ファイバー
３３ａ  先端
３５  保持体
【図１】
2013238324.tif 000003
【図２】
2013238324.tif 000004
【図３】
2013238324.tif 000005
【図４】
2013238324.tif 000006
【図５】
2013238324.tif 000007
【図６】
2013238324.tif 000008
【図７】
2013238324.tif 000009